(57)【特許請求の範囲】
【請求項１】
画像記録媒体に記録された複数の画像情報を管理する画像管理装置と、前記画像管理装置により管理される前記画像情報に基づいて画像を表示する表示装置とを備える画像表示システムであって、
前記複数の画像情報は、夫々自画像情報を得た撮影装置及びその際の撮影モードを表す情報を含み、
前記画像管理装置は、
前記画像記録媒体から前記画像情報を取得する画像取得手段と、
前記画像取得手段により取得された前記複数の画像情報に基づいて所定の画像をスライドショー再生する再生手段と、
被写体を撮影して画像情報を得る撮影装置が備える複数の撮影モードと各撮影モードを表す情報とが対応付けられた撮影モードの情報を記憶する第１の記憶手段と、
所定の撮影モードと当該撮影モードで撮影された画像を前記再生手段により再生表示する際に当該画像に施すエフェクト処理とを対応付けて記憶する第２の記憶手段と、
前記画像取得手段により取得された画像情報に含まれている当該画像情報を得た撮影装置を表す情報に基づいて、当該撮影装置に対応する撮影モードの情報が前記第１の記憶手段に記憶されているか否かを判別する判別手段と、
前記判別手段により前記撮影装置に対応する撮影モードの情報が前記第１の記憶手段に記憶されていると判別された場合には、前記取得された画像情報に含まれている当該画像情報を得た際の前記撮影装置の撮影モードを表す情報に基づき前記第１の記憶手段を検索して得られる当該情報に対応する撮影モードを、前記取得された画像情報の撮影モードとして特定し、前記判別手段により前記撮影装置に対応する撮影モードの情報が前記第１の記憶手段に記憶されていないと判別された場合には、前記撮影装置に関する撮影モードの情報を通信手段を用いて取得して前記第１の記憶手段に追加した上で、前記取得された画像情報に含まれている前記撮影モードを表す情報に基づき前記第１の記憶手段を検索して得られる当該情報に対応する撮影モードを、前記取得された画像情報の撮影モードとして特定する撮影モード特定手段と、
前記撮影モード特定手段により特定された撮影モードに基づき前記第２の記憶手段を検索して得られる当該撮影モードに対応するエフェクト処理を、前記取得された画像情報に係る画像が前記再生手段による前記スライドショー再生において再生表示される際に当該画像に施すエフェクト処理として特定するエフェクト特定手段と、を備えることを特徴とする画像表示システム。
【請求項２】
前記撮影装置及び撮影モードを表す情報は、前記画像情報のタグ情報として含まれていることを特徴とする請求項１に記載の画像表示システム。
【請求項３】
前記エフェクト特定手段は、特定したエフェクト処理を対応する画像情報に対応付けて保存することを特徴とする請求項１又は２に記載の画像表示システム。
【請求項４】
前記画像管理装置は、
前記画像取得手段により取得された前記複数の画像情報の前記撮影モードに基づいて、前記複数の画像情報を所定の分類項目毎に分類する画像分類手段を備えることを特徴とする請求項１乃至３の何れか一項に記載の画像表示システム。
【請求項５】
前記画像管理装置は、
前記複数の画像情報の分類に係る新規分類項目を入力する分類項目入力手段を備え、
前記画像分類手段は、さらに、前記分類項目入力手段により入力された前記新規分類項目に従って前記複数の画像情報を分類することを特徴とする請求項４に記載の画像表示システム。
【請求項６】
画像記録媒体から複数の画像情報を取得する画像取得手段と、
前記画像取得手段により取得された前記複数の画像情報に基づいて所定の画像をスライドショー再生する再生手段と、
被写体を撮影して画像情報を得る撮影装置が備える複数の撮影モードと各撮影モードを表す情報とが対応付けられた撮影モードの情報を記憶する第１の記憶手段と、
所定の撮影モードと当該撮影モードで撮影された画像を前記再生手段により再生表示する際に当該画像に施すエフェクト処理とを対応付けて記憶する第２の記憶手段と、
前記画像取得手段により取得された画像情報に含まれている当該画像情報を得た撮影装置を表す情報に基づいて、当該撮影装置に対応する撮影モードの情報が前記第１の記憶手段に記憶されているか否かを判別する判別手段と、
前記判別手段により前記撮影装置に対応する撮影モードの情報が前記第１の記憶手段に記憶されていると判別された場合には、前記取得された画像情報に含まれている当該画像情報を得た際の前記撮影装置の撮影モードを表す情報に基づき前記第１の記憶手段を検索して得られる当該情報に対応する撮影モードを、前記取得された画像情報の撮影モードとして特定し、前記判別手段により前記撮影装置に対応する撮影モードの情報が前記第１の記憶手段に記憶されていないと判別された場合には、前記撮影装置に関する撮影モードの情報を通信手段を用いて取得して前記第１の記憶手段に追加した上で、前記取得された画像情報に含まれている前記撮影モードを表す情報に基づき前記第１の記憶手段を検索して得られる当該情報に対応する撮影モードを、前記取得された画像情報の撮影モードとして特定する撮影モード特定手段と、
前記撮影モード特定手段により特定された撮影モードに基づき前記第２の記憶手段を検索して得られる当該撮影モードに対応するエフェクト処理を、前記取得された画像情報に係る画像が前記再生手段による前記スライドショー再生において再生表示される際に当該画像に施すエフェクト処理として特定するエフェクト特定手段と、
を備えることを特徴とする画像表示装置。
【請求項７】
前記撮影装置及び撮影モードを表す情報は、前記画像情報のタグ情報として含まれていることを特徴とする請求項６に記載の画像表示装置。
【請求項８】
前記エフェクト特定手段は、特定したエフェクト処理を対応する画像情報に対応付けて保存することを特徴とする請求項６又は７に記載の画像表示装置。
【請求項９】
画像記録媒体に記録されている複数の画像情報に基づいて所定の画像をスライドショー再生する再生手段と、被写体を撮影して画像情報を得る撮影装置が備える複数の撮影モードと各撮影モードを表す情報とが対応付けられた撮影モードの情報を記憶する第１の記憶手段と、所定の撮影モードと当該撮影モードで撮影された画像を前記再生手段により再生表示する際に当該画像に施すエフェクト処理とを対応付けて記憶する第２の記憶手段とを備えたシステムにおける画像表示方法であって、
前記画像記録媒体から複数の画像情報を取得するステップと、
該ステップにより取得された画像情報に含まれている当該画像情報を得た撮影装置を表す情報に基づいて、当該撮影装置に対応する撮影モードの情報が前記第１の記憶手段に記憶されているか否かを判別するステップと、
該ステップにより前記撮影装置に対応する撮影モードの情報が前記第１の記憶手段に記憶されていないと判別された場合に実行される、前記撮影装置に関する撮影モードの情報を通信手段を用いて取得して前記第１の記憶手段に追加記憶するステップと、
該ステップの後、或いは前記判別ステップにより前記撮影装置に対応する撮影モードの情報が前記第１の記憶手段に記憶されていると判別された場合に実行される、前記取得された画像情報に含まれている当該画像情報を得た際の前記撮影装置の撮影モードを表す情報に基づき前記第１の記憶手段を検索して当該情報に対応する撮影モードを得、当該撮影モードを前記取得された画像情報の撮影モードとして特定するステップと、
該ステップにより特定された撮影モードに基づき前記第２の記憶手段を検索して得られる当該撮影モードに対応するエフェクト処理を、前記取得された画像情報に係る画像が前記再生手段による前記スライドショー再生において再生表示される際に当該画像に施すエフェクト処理として特定するステップと、
前記複数の画像情報と前記特定されたエフェクト処理に基づいて所定の画像をスライドショー再生表示するステップと、
を備えることを特徴とする画像表示方法。 
【発明の詳細な説明】
【技術分野】
【０００１】
本発明は、複数の画像を表示する画像表示システム、画像表示装置及び画像表示方法に関する。 
【背景技術】
【０００２】
デジタルスチールカメラや静止画像可能なデジタルビデオカメラ等が、一般に普及してきており、撮影された画像をパーソナルコンピュータ（ＰＣ）や専用の再生装置等を用いて管理するデジタルアルバムシステムが開発されている。
このデジタルアルバムシステムにあっては、例えば、画像の再生の際に、ズーム、パン、回転、フェードイン、フェードアウト等の所定のエフェクト処理（動き）を施してモニタに表示することが行われている。
【０００３】
また、画像のスライドショー再生（表示）を音楽にあわせて行う方法も知られており、具体的には、ユーザ（顧客）が選択した楽曲の音声データのテンポにあわせてフェードインやフェードアウトを行うことで楽曲のテンポとスライドショー（エフェクト処理）との整合を図るようになっている（例えば、特許文献１参照）。
【０００４】
さらに、デジタルアルバムシステムは、複数の画像の中からの所望の画像の検索にも用いられ、検索方法としては、画像認識による方法、文字情報を追加した後にそれらを利用する方法等が知られている。
【特許文献１】特開２００３−２４９０５１号公報
【発明の開示】
【発明が解決しようとする課題】
【０００５】
しかしながら、特許文献１等の場合、ユーザは再生画像のエフェクト処理のために所定の楽曲の音声データを準備したり、予め準備された複数の楽曲の中から所望の楽曲を選択しなければならないといった問題がある。また、ユーザ自らが手作業で再生画像にエフェクト処理を施す場合、編集作業に習熟していないユーザにとっては、画像の雰囲気とはかけ離れたエフェクト処理をつけてしまいかねないといった問題もある。
【０００６】
また、デジタルアルバムシステムにおける画像検索において、画像認識を利用する場合、画像認識技術が未だ確立されていないため、検索結果の信頼性が低いといった問題がある。さらに、文字情報を利用する場合、ＰＣなどを用いて所定の文字情報を入力して画像に付加しなければならず利便性が悪いといった問題がある。
【０００７】
そこで、本発明は、画像情報に含まれ、当該画像に関連する識別情報を用いてより利便性の高い画像表示システム、画像表示装置及び画像表示方法を提供することを目的とするものである。
即ち、本発明の第一の課題は、画像に適正なエフェクト処理を施してスライドショー再生表示することができる画像表示システム、画像表示装置及び画像表示方法を提供することである。 
【課題を解決するための手段】
【０００８】
請求項１に記載の発明は、
画像記録媒体（例えば、図１のメモリカード１３等）に記録された複数の画像情報を管理する画像管理装置（例えば、図１の画像管理装置２等）と、前記画像管理装置により管理される前記画像情報に基づいて画像を表示する表示装置（例えば、図１の表示装置３等）とを備える画像表示システム（例えば、図１のデジタルアルバムシステム１００等）であって、
前記複数の画像情報は、夫々自画像情報を得た撮影装置及びその際の撮影モードを表す情報を含み、
前記画像管理装置は、
前記画像記録媒体から前記画像情報を取得する画像取得手段（例えば、図２のデータ読取部２１等）と、
前記画像取得手段により取得された前記複数の画像情報に基づいて所定の画像をスライドショー再生する再生手段（例えば、図２のＣＰＵ２７等）と、
被写体を撮影して画像情報を得る撮影装置が備える複数の撮影モードと各撮影モードを表す情報とが対応付けられた撮影モードの情報を記憶する第１の記憶手段（例えば、図２のメモリ２６等）と、
所定の撮影モードと当該撮影モードで撮影された画像を前記再生手段により再生表示する際に当該画像に施すエフェクト処理とを対応付けて記憶する第２の記憶手段（例えば、図２のメモリ２６等）と、
前記画像取得手段により取得された画像情報に含まれている当該画像情報を得た撮影装置を表す情報に基づいて、当該撮影装置に対応する撮影モードの情報が前記第１の記憶手段に記憶されているか否かを判別する判別手段（例えば、図２のＣＰＵ２７等）と、
前記判別手段により前記撮影装置に対応する撮影モードの情報が前記第１の記憶手段に記憶されていると判別された場合には、前記取得された画像情報に含まれている当該画像情報を得た際の前記撮影装置の撮影モードを表す情報に基づき前記第１の記憶手段を検索して得られる当該情報に対応する撮影モードを、前記取得された画像情報の撮影モードとして特定し、前記判別手段により前記撮影装置に対応する撮影モードの情報が前記第１の記憶手段に記憶されていないと判別された場合には、前記撮影装置に関する撮影モードの情報を通信手段を用いて取得して前記第１の記憶手段に追加した上で、前記取得された画像情報に含まれている前記撮影モードを表す情報に基づき前記第１の記憶手段を検索して得られる当該情報に対応する撮影モードを、前記取得された画像情報の撮影モードとして特定する撮影モード特定手段（例えば、図２のＣＰＵ２７等）と、
前記撮影モード特定手段により特定された撮影モードに基づき前記第２の記憶手段を検索して得られる当該撮影モードに対応するエフェクト処理を、前記取得された画像情報に係る画像が前記再生手段による前記スライドショー再生において再生表示される際に当該画像に施すエフェクト処理として特定するエフェクト特定手段（例えば、図２のＣＰＵ２７等）と、を備えることを特徴としている。 
【０００９】
請求項６に記載の発明は、
画像記録媒体から前記画像情報を取得する画像取得手段（例えば、図２のデータ読取部２１等）と、
前記画像取得手段により取得された前記複数の画像情報に基づいて所定の画像をスライドショー再生する再生手段（例えば、図２のＣＰＵ２７等）と、
被写体を撮影して画像情報を得る撮影装置が備える複数の撮影モードと各撮影モードを表す情報とが対応付けられた撮影モードの情報を記憶する第１の記憶手段（例えば、図２のメモリ２６等）と、
所定の撮影モードと当該撮影モードで撮影された画像を前記再生手段により再生表示する際に当該画像に施すエフェクト処理とを対応付けて記憶する第２の記憶手段（例えば、図２のメモリ２６等）と、
前記画像取得手段により取得された画像情報に含まれている当該画像情報を得た撮影装置を表す情報に基づいて、当該撮影装置に対応する撮影モードの情報が前記第１の記憶手段に記憶されているか否かを判別する判別手段（例えば、図２のＣＰＵ２７等）と、
前記判別手段により前記撮影装置に対応する撮影モードの情報が前記第１の記憶手段に記憶されていると判別された場合には、前記取得された画像情報に含まれている当該画像情報を得た際の前記撮影装置の撮影モードを表す情報に基づき前記第１の記憶手段を検索して得られる当該情報に対応する撮影モードを、前記取得された画像情報の撮影モードとして特定し、前記判別手段により前記撮影装置に対応する撮影モードの情報が前記第１の記憶手段に記憶されていないと判別された場合には、前記撮影装置に関する撮影モードの情報を通信手段を用いて取得して前記第１の記憶手段に追加した上で、前記取得された画像情報に含まれている前記撮影モードを表す情報に基づき前記第１の記憶手段を検索して得られる当該情報に対応する撮影モードを、前記取得された画像情報の撮影モードとして特定する撮影モード特定手段（例えば、図２のＣＰＵ２７等）と、
前記撮影モード特定手段により特定された撮影モードに基づき前記第２の記憶手段を検索して得られる当該撮影モードに対応するエフェクト処理を、前記取得された画像情報に係る画像が前記再生手段による前記スライドショー再生において再生表示される際に当該画像に施すエフェクト処理として特定するエフェクト特定手段（例えば、図２のＣＰＵ２７等）と、を備えることを特徴としている。 
【００１０】
請求項９に記載の発明は、
画像記録媒体に記録されている複数の画像情報に基づいて所定の画像をスライドショー再生する再生手段と、被写体を撮影して画像情報を得る撮影装置が備える複数の撮影モードと各撮影モードを表す情報とが対応付けられた撮影モードの情報を記憶する第１の記憶手段と、所定の撮影モードと当該撮影モードで撮影された画像を前記再生手段により再生表示する際に当該画像に施すエフェクト処理とを対応付けて記憶する第２の記憶手段とを備えたシステムにおける画像表示方法であって、
前記画像記録媒体から複数の画像情報を取得するステップと、
該ステップにより取得された画像情報に含まれている当該画像情報を得た撮影装置を表す情報に基づいて、当該撮影装置に対応する撮影モードの情報が前記第１の記憶手段に記憶されているか否かを判別するステップと、
該ステップにより前記撮影装置に対応する撮影モードの情報が前記第１の記憶手段に記憶されていないと判別された場合に実行される、前記撮影装置に関する撮影モードの情報を通信手段を用いて取得して前記第１の記憶手段に追加記憶するステップと、
該ステップの後、或いは前記判別ステップにより前記撮影装置に対応する撮影モードの情報が前記第１の記憶手段に記憶されていると判別された場合に実行される、前記取得された画像情報に含まれている当該画像情報を得た際の前記撮影装置の撮影モードを表す情報に基づき前記第１の記憶手段を検索して当該情報に対応する撮影モードを得、当該撮影モードを前記取得された画像情報の撮影モードとして特定するステップと、
該ステップにより特定された撮影モードに基づき前記第２の記憶手段を検索して得られる当該撮影モードに対応するエフェクト処理を、前記取得された画像情報に係る画像が前記再生手段による前記スライドショー再生において再生表示される際に当該画像に施すエフェクト処理として特定するステップと、
前記複数の画像情報と前記特定されたエフェクト処理に基づいて所定の画像をスライドショー再生表示するステップと、
を備えることを特徴としている。 
【発明の効果】
【００１４】
本発明によれば、画像のスライドショー再生の際のエフェクト処理を、当該画像情報を得た際の撮影装置の撮影モードに基づいて特定することができることとなり、撮影モードに応じた適正なエフェクト処理を施して複数の画像をスライドショー再生表示することができ、より利便性の高い画像表示システム、画像表示装置及び画像表示方法を提供することができる。
しかも、本発明は、画像情報を得た撮影装置に対応する撮影モードの情報が記憶手段に記憶されていない場合には、前記撮影装置に関する撮影モードの情報を通信手段を用いて取得して前記記憶手段に追加した上で、前記画像情報に含まれている撮影モードを表す情報に基づき前記記憶手段を検索して当該情報に対応する撮影モードを得、この撮影モードに基づいて前記画像情報に対応するエフェクト処理を特定する構成であるので、どのような撮影装置で撮影された画像情報であっても撮影モードに応じた適正なエフェクト処理を施すことが可能であり、また、他の画像情報に含まれている撮影装置を表す情報が前記撮影装置と同一の撮影装置を表す情報であった場合には、当該撮影装置に関する撮影モードの情報を通信手段を用いて取る必要は無いので、非常に利便性の高い画像表示システム、画像表示装置及び画像表示方法を提供することができる。
【発明を実施するための最良の形態】
【００１５】
以下に、本発明について、図面を用いて具体的な態様を説明する。ただし、発明の範囲は、図示例に限定されない。
図１は、本発明を適用した好適な一実施形態として例示するデジタルアルバムシステム１００の全体構成を示すブロック図である。
【００１６】
本実施形態のデジタルアルバムシステム１００は、例えば、デジタルカメラ１にて撮影された複数の画像ファイルを管理するものであり、画像表示システムとして複数の画像をスライドショー再生表示するとともに、画像検索システムとして複数の画像の中からユーザ所望の画像を検索するようになっている。
具体的には、デジタルアルバムシステム１００は、例えば、図１に示すように、画像を撮影するデジタルカメラ１と、デジタルカメラ１により撮影された画像を管理する画像管理装置２と、画像管理装置２により管理される画像を表示する表示装置３等を備えている。
【００１７】
先ず、デジタルカメラ１について説明する。
本実施形態のデジタルカメラ１は、例えば、Ｅｘｉｆ（Exchangeable Image File Format）規格に準拠した形式の画像ファイルを生成して記録するものであり、具体的には、撮影レンズを透過した被写体像を画像データに光電変換するＣＣＤ（Charge Coupled Device）等を有する撮影部（撮影手段）１１と、撮影部１１により取得された画像データに対しＪＰＥＧ方式に準拠した圧縮方式で圧縮処理を施してＪＰＥＧ画像データを生成し、当該画像データのヘッダ部にＥｘｉｆタグ情報を付帯してＥｘｉｆ形式の画像ファイルを生成する画像生成部１２と、画像生成部１２により生成された画像ファイルを記録するメモリカード（画像記録媒体）１３等を備えて構成されている。
【００１８】
撮影部１１は、例えば、シャッター速度、フォーカス、ホワイトバランス、シャープネス、彩度、コントラスト、フィルタ、フラッシュ等が所定値に設定された複数の撮影モードに従って被写体の撮影を行うようになっている。
ここで、撮影モードとしては、例えば、オート、ムービー、人物、風景、子供、スポーツ、キャドルライト、パーティー、花、紅葉、夕日、ビーチ、雪、水中、夜景、花火、食べ物、文字等が挙げられる（図３参照）。
【００１９】
Ｅｘｉｆタグ情報としては、例えば、画像タイトル（ImageDescription）や、デジタルカメラ１の製造メーカ名（Make）、モデル名（Model）等のフォーマットで定められた必須のタグ情報や、デジタルカメラ１による撮影モード等の製造メーカ固有のメーカ固有情報（MakerNote）、Ｆ値（FNumber）、撮影時の露出時間［秒］（ExposureTime）、シャッタースピード（ShutterSpeedValue）、絞り（ApertureValue）、輝度（BrightnessValue）等のＥｘｉｆ固有のタグ情報等が挙げられる。
【００２０】
なお、本発明に係るデジタルカメラ１は、例えば、一般的な構成をなすものであり、上記説明した以外の構成についての詳細な説明は省略する。
【００２１】
次に、画像管理装置２について図面を参照して説明する。
ここで、図２は、画像管理装置２の要部構成を示すブロック図である。
画像管理装置２は、例えば、パーソナルコンピュータ等から構成され、例えば、図２に示すように、データ読取部２１と、画像記憶部２２と、操作入力部２３と、データ出力部２４と、通信制御部２５と、メモリ２６と、ＣＰＵ２７等を備えて構成されている。
【００２２】
データ読取部２１は、例えば、デジタルカメラ１のメモリカード１３等が接続されるＰＣカードリーダ等からなり、ＣＰＵ２７の制御下にてメモリカード１３から当該メモリカード１３に記録されている複数の画像ファイル等を読み取るものである。
ここで、ＣＰＵ２７とデータ読取部２１は、協働してメモリカード１３から画像ファイルを取得する画像取得手段を構成している。
【００２３】
画像記憶部２２は、例えば、ハードディスクドライブ等から構成され、データ読取部２１により読み取られた複数の画像ファイルを記憶するものである。
【００２４】
操作入力部２３は、例えば、数値、文字等を入力するためのデータ入力キーや、画像ファイルの選択、送り操作等を行うための上下左右移動キーや各種機能キー等によって構成されるキーボードやマウスやリモコン等を備え、ユーザにより操作されたキーの操作信号をＣＰＵ２７に出力するようになっている。
【００２５】
また、操作入力部２３は、例えば、画像分類処理にて、ユーザによる所定操作に基づいて、画像分類画面Ｇ１にて画像の分類に係る新規分類項目を追加情報として入力するようになっている（図５参照）。
ここで、操作入力部２３は、例えば、新規分類項目を入力する分類項目入力手段を構成している。
【００２６】
データ出力部２４は、例えば、画像や音声の出力端子を備え、ＣＰＵ２７の制御下にて、所定の画像データや音声データを表示装置３に出力するものである。
【００２７】
通信制御部２５は、例えば、ＣＰＵ２７の制御下にて、インターネット等の所定のネットワークを介して接続された製造メーカのウェブサーバにより開設される所定のサイトとの間で各種情報の送受信を行うものである。具体的には、通信制御部２５は、画像を撮影したモデルに対応する撮影モードテーブル２６ｅがメモリ２６に記憶されていない場合に、ウェブサーバにより開設される所定のサイトにアクセスして撮影モードに関する所定の情報を取得するようになっている。
【００２８】
ＣＰＵ（Central Processing Unit）２７は、例えば、所定のタイミングか、或いは操作入力部２３を介して入力された操作信号等に基づいて、メモリ２６に格納されている各種プログラムを読み出して、当該プログラムに従って各種処理を実行するものである。
【００２９】
メモリ２６は、例えば、画像データ等を一時的に記憶するバッファを構成するとともに、ＣＰＵ２７の作業領域や各種データの格納領域等を構成するＲＡＭ（Random Access Memory）や、各種動作プログラム、各部の制御に係る各種データ等を記憶するＥＥＰＲＯＭ（Electrically Erasable and Programmable ROM）等を備えて構成されている。
【００３０】
ＥＥＰＲＯＭは、例えば、再生プログラム２６ａ、エフェクト特定プログラム２６ｂ、画像検索プログラム２６ｃ、画像分類プログラム２６ｄ等を記憶している。
【００３１】
再生プログラム２６ａは、ＣＰＵ２７を再生手段として機能させるものである。即ち、再生プログラム２６ａは、データ読取部２１を介して取得された複数の画像ファイルに基づいて所定数の画像をスライドショー再生して表示装置３に表示させる再生処理に係る機能をＣＰＵ２７に実現させるためのプログラムである。具体的には、再生プログラム２６ａは、ＣＰＵ２７によって、エフェクト特定処理（後述）にて特定されたエフェクト処理を画像に施してスライドショー再生するためのものである。
これにより、再生処理にあっては、例えば、「人物」を含む画像の場合、迫ったり引いたりして、さらに「人物」が「子供」であれば、スライド方式で画像を素早く切り替えて子供の躍動感を演出することができ、また、「花火」の画像の場合、中心から放射状に広がるように画面を切り替えていくように再生表示することができる（詳細後述）。
【００３２】
エフェクト特定プログラム２６ｂは、ＣＰＵ２７をエフェクト特定手段として機能させるものである。即ち、エフェクト特定プログラム２６ｂは、画像ファイルの各々のメーカ固有情報（画像の内容に関連する識別情報）に基づいて、当該画像ファイルのスライドショー再生の際のエフェクト処理を特定するエフェクト特定処理に係る機能をＣＰＵ２７に実現させるためのプログラムである。具体的には、エフェクト特定プログラム２６ｂは、ＣＰＵ２７によって、各画像ファイルの撮影モード（図３参照）と対応付けられた所定のエフェクト処理をエフェクト特定用テーブル２６ｆ（図４参照）から取得して特定するためのものである。
【００３３】
画像検索プログラム２６ｃは、ＣＰＵ２７を画像検索手段として機能させるものである。即ち、画像検索プログラム２６ｃは、データ読取部２１を介して取得された複数の画像ファイルの中から、当該画像ファイルの各々の撮影モード（画像の内容に関連する識別情報）に基づいて所望の画像の画像ファイルを検索する画像検索処理に係る機能をＣＰＵ２７に実現させるためのプログラムである。具体的には、画像検索プログラム２６ｃは、ＣＰＵ２７によって、複数の画像ファイルの中で、ユーザによる操作入力部２３の所定操作に基づいて指定された所定の撮影モードが対応付けられている画像ファイルを検索して表示装置３に一覧表示させるためのものである。
【００３４】
画像分類プログラム２６ｄは、ＣＰＵ２７を画像分類手段として機能させるものである。即ち、画像分類プログラム２６ｄは、データ読取部２１を介して取得された複数の画像ファイルの各々のメーカ固有情報としての撮影モード（図３参照）を分類項目として複数の画像ファイルを分類する画像分類処理に係る機能をＣＰＵ２７に実現させるためのプログラムである。具体的には、画像分類プログラム２６ｄは、ＣＰＵ２７によって、エフェクト特定処理にて特定されるエフェクト処理に対応する撮影モードや操作入力部２３を介して入力された新規分類項目を分類項目として複数の画像ファイルを分類するためのものである。
【００３５】
また、ＥＥＰＲＯＭには、例えば、撮影モードテーブル２６ｅ、エフェクト特定用テーブル２６ｆ等が記憶されている。
【００３６】
撮影モードテーブル２６ｅは、例えば、デジタルカメラ１のモデル毎に記憶されており、具体的には、メーカ固有情報に含まれる撮影モード番号と対応する所定のカラム番号（「１」〜「１９」、…）と、「オート」、「ムービー」、「人物」、「風景」、「子供」、「スポーツ」、「キャドルライト」、「パーティー」、「花」、「紅葉」、「夕日」、「ビーチ」、「雪」、「水中」、「夜景」、「花火」、「食べ物」、「文字」等の撮影モードの内容が対応付けられたものである（図３参照）。
【００３７】
エフェクト特定用テーブル２６ｆは、例えば、所定の撮影モードと、エフェクト処理の内容とが対応付けられたものである（図４参照）。
具体的には、撮影モードが「キャドルライト」の場合には、例えば、一の画像をフェードアウトしていって次の画像をフェードインするようにして再生するエフェクト処理が対応付けられている。
また、撮影モードが「花」の場合には、例えば、花の中心から花びらが開いていくように再生するエフェクト処理が対応付けられている。
また、撮影モードが「紅葉」の場合には、例えば、落ち葉が上から落ちてきて積み重なるように再生するエフェクト処理が対応付けられている。
また、撮影モードが「夜景」の場合には、例えば、一の画像をフェードアウトしていって次の画像をフェードインするようにして再生するエフェクト処理が対応付けられている。
また、撮影モードが「花火」の場合には、例えば、中心から周辺へ線を延ばして、「星」が広がるように再生するエフェクト処理が対応付けられている。
また、撮影モードが「食べ物」の場合には、例えば、端から囓られるように再生するエフェクト処理が対応付けられている。
また、撮影モードが「文字」の場合には、例えば、ページがめくられるように再生するエフェクト処理が対応付けられている。
【００３８】
次に、表示装置３について説明する。
ここで、図５は、画像読込処理にて表示装置３に表示される画像分類画面Ｇ１を模式的に示した図である。
【００３９】
表示装置３は、例えば、液晶ディスプレイ（ＬＣＤ）やＣＲＴ等からなり、画像管理装置２のデータ出力部２４から出力された画像データや音声データが入力されるデータ入力部３１と、入力された画像データに従って画像を表示する表示部３２と、入力された音声データに従って音声を発する発音部３３等を備えている
【００４０】
表示部３２は、例えば、データ入力部３１を介して入力された画像データに基づいて、エフェクト特定処理にて特定されたエフェクト処理が施された複数の画像をスライドショー再生表示するようになっている。
【００４１】
また、表示部３２は、例えば、図５に示すように、画像分類処理にて、画像を分類するための画像分類画面Ｇ１を表示するようになっている。
この画像分類画面Ｇ１には、具体的には、例えば、分類される画像や、当該画像の撮影モードに係る撮影モード情報や、新規分類項目としての追加情報や、分類項目等が表示されるようになっている。
【００４２】
＜画像読込処理＞
次に、画像読込処理について図６を参照して説明する。
図６は、画像読込処理に係る動作の一例を示すフローチャートである。
【００４３】
画像読込処理は、画像管理装置２のＣＰＵ２７の制御下にて、デジタルカメラ１のメモリカード１３に記録されている複数の画像ファイルを読み込んで、これら画像ファイルの各々のスライドショー再生の際のエフェクト処理を特定するものである。
【００４４】
即ち、図６に示すように、先ず、デジタルカメラ１による所定の被写体の撮影後に画像管理装置２のデータ読取部２１にメモリカード１３がセットされて、ＣＰＵ２７の制御下にて、メモリカード１３に記録されている複数のＥｘｉｆ画像ファイルが読み取られる（ステップＳ１）。
すると、ＣＰＵ２７は、Ｅｘｉｆ画像ファイルのヘッダ部を読み込み、そのＥｘｉｆタグ情報（ＡＰＰ１マーカ）を参照して（ステップＳ２）、デジタルカメラ１の製造メーカ名を特定した後（ステップＳ３）、当該デジタルカメラ１のモデル名を特定する（ステップＳ４）。
【００４５】
次に、ＣＰＵ２７は、メモリ２６からエフェクト特定プログラム２６ｂを読み出して、このエフェクト特定プログラム２６ｂの実行に基づいて、特定されたモデル名に対応する撮影モードテーブル２６ｅがメモリ２６に記憶されているか否かを判定する（ステップＳ５）。
ここで、撮影モードテーブル２６ｅが記憶されていると判定されると（ステップＳ５；ＹＥＳ）、ＣＰＵ２７は、画像ファイルのＥｘｉｆタグ情報のメーカ固有情報を参照して、当該メーカ固有情報に含まれる撮影モードを表す撮影モード番号を取得する（ステップＳ６）。
続けて、ＣＰＵ２７は、取得した撮影モード番号（カラム番号）と対応する撮影モードを撮影モードテーブル２６ｅを参照して特定して（ステップＳ７）、当該撮影モード名に関する情報を画像ファイルの検索情報として付加（保存）する（ステップＳ８）。
次に、ＣＰＵ２７は、特定した撮影モードに対応するエフェクト処理をエフェクト特定用テーブル２６ｆを参照して決定して（ステップＳ９）、当該エフェクト処理をメモリ２６に保存する（ステップＳ１０）。
【００４６】
なお、ステップＳ５にて、撮影モードテーブル２６ｅが記憶されていないと判定された場合には（ステップＳ５；ＮＯ）、ＣＰＵ２７は、通信制御部２５を制御して、該当モデルに関する撮影モードの情報をインターネット上の所定のサイトを検索することにより取得して、撮影モードテーブル２６ｅに追加する（ステップＳ１１）。
【００４７】
＜画像再生処理＞
次に、画像再生処理について図７を参照して説明する。
図７は、画像再生処理に係る動作の一例を示すフローチャートである。
【００４８】
画像再生処理は、ＣＰＵ２７の制御下にて、エフェクト特定処理にて特定されたエフェクト処理を複数の画像の各々に施してスライドショー再生するものである。
【００４９】
即ち、図７に示すように、先ず、ユーザによる操作入力部２３の所定操作に基づいてスライドショー再生の実行が指示されると、ＣＰＵ２７は、メモリ２６から再生プログラム２６ａを読み出して、この再生プログラム２６ａの実行に基づいて、画像記憶部２２の所定のフォルダに格納されている複数の画像の中で、ユーザにより指定された最初の画像を表示装置３に表示させる（ステップＳ２１）。
次に、ＣＰＵ２７は、当該画像を表示装置３に所定時間表示させた後（ステップＳ２２；ＹＥＳ）、最初の画像に続けて他に表示すべき画像があるか否かを判定する（ステップＳ２３）。
【００５０】
ここで、他に表示すべき画像があると判定されると（ステップＳ２３；ＹＥＳ）、ＣＰＵ２７は、エフェクト特定処理にて特定された当該画像に対応するエフェクト処理を画像に施して表示装置３に表示させる（ステップＳ２４）。
その後、ＣＰＵ２７は、ステップＳ２２に移行して、スライドショー再生すべき画像がなくなるまで、それ以降の処理を実行制御する。
【００５１】
＜画像検索処理＞
次に、画像検索処理について説明する。
画像検索処理にあっては、各画像ファイルに付加されている撮影モード名に関する情報を利用して画像の検索を行うようになっている。
具体的には、例えば、ＣＰＵ２７は、ユーザによる操作入力部２３の所定操作に基づいて所定の撮影モードが指示入力されると、メモリ２６から画像検索プログラム２６ｃを読み出して、この画像プログラムの実行に基づいて、画像記憶部２２に記憶されている複数の画像ファイルの中から、入力された撮影モードが付加されている画像ファイルを特定する。そして、ＣＰＵ２７は、特定された全ての画像ファイルをデータ出力部２４から出力させて表示装置３に表示させる。
これにより、表示装置３には、所定の撮影モードで撮影された複数の画像ファイルの一覧が表示されることとなって、当該一覧表示から所望の画像の検索を適正に行うことができる。特に、撮影モード名に関する情報が画像ファイルに付帯されているので、当該画像ファイルをコピーして他のコンピュータ等に移動させても、撮影モードを検索情報として利用して画像検索を適正に、且つ、簡便に行うことができる。
【００５２】
以上のように、本実施形態のデジタルアルバムシステム１００によれば、画像のスライドショー再生の際のエフェクト処理を、各画像ファイルに付帯され、画像の撮影に用いたデジタルカメラ１のメーカ固有情報に基づいて特定することができる。即ち、メーカ固有情報としての撮影モードに対応するエフェクト処理をエフェクト特定用テーブル２６ｆから適正に特定することができるので、各画像に対してその撮影モードに関連する適正なエフェクト処理を施して複数の画像をスライドショー再生して表示装置３に表示することができる。
また、複数の画像ファイルの中からの所望の画像ファイルの検索を、各画像の撮影モードに基づいて行うことができるので、所望画像の検索をより適正に、且つ、簡便に行うことができる。従って、より利便性の高いデジタルアルバムシステム１００を提供することができる。
【００５３】
＜画像分類処理＞
また、上記実施形態のデジタルアルバムシステム１００にあっては、ＣＰＵ２７は、エフェクト特定処理にて特定された撮影モードに従って複数の画像ファイルを分類するようにしても良い。
即ち、ＣＰＵ２７は、メモリ２６から読み出した画像分類プログラム２６ｄの実行に基づいて、撮影モードを分類項目として複数の画像ファイルを分類する画像分類処理を行うようになっている。また、画像分類処理にあっては、ＣＰＵ２７は、エフェクト特定処理にて特定された撮影モードに加えて、操作入力部２３を介して入力された新規分類項目を分類項目として複数の画像ファイルを分類するようにしても良い。
具体的には、例えば、図５に示すように、ＣＰＵ２７の制御下にて、表示装置３に画像分類画面Ｇ１を表示させて、エフェクト特定処理にて特定される撮影モード（例えば、「花火」）を表示したり、新規分類項目（例えば、「人物」）の追加等を受け付けるようになっている。
ここで、新規分類項目の追加は、例えば、ユーザによる操作入力部２３の所定操作に基づいて行われるようになっており、新規分類項目名は、直接入力されるようにしても良いし、予めデフォルトとして設定された中から選択されて入力されるようにしても良い。なお、新規分類項目名が直接入力された場合には、ＣＰＵ２７の制御下にて、例えば、所定の類語テーブルに基づいて入力された新規分類項目名の類語検索を行って、分類項目を特定するようにするのが好ましい。
これにより、画像管理装置２は、複数の画像ファイルをエフェクト特定処理にて特定された撮影モードや新規入力された新規分類項目に基づいて分類することができ、画像ファイルの管理をメーカ固有情報や新規分類項目に基づいて簡便に、かつ、適正に行うことができ、より利便性の高いデジタルアルバムシステム１００を提供することができる。また、画像検索処理にあっては、分類項目の一覧を表示装置３に表示させることで当該分類項目に基づいて画像検索をより簡便に行うことができることとなる。
【００５４】
なお、本発明は、上記実施形態に限定されることなく、本発明の趣旨を逸脱しない範囲において、種々の改良並びに設計の変更を行っても良い。
例えば、上記実施形態では、Ｅｘｉｆ画像ファイルを例示して、スライドショー再生の際のエフェクト処理の特定、画像の検索、画像の分類等をＥｘｉｆタグ情報のメーカ固有情報を画像の内容に関連する識別情報として用いて行うようにしたが、これに限られるものではない。
即ち、Ｅｘｉｆ画像ファイル以外の画像ファイルであっても、例えば、ユーザによる操作入力部２３の所定操作に基づいて入力されたキャプションや画像のタイトル等を画像の内容に関連する識別情報として用いることによりエフェクト処理の特定等を行うことができる。具体的には、例えば、キャプション等であれば、エフェクト処理等をユーザが手作業で編集する場合に比べてキーボードの簡単な操作だけで簡便に入力することができ、当該キャプション等に則したより適正なエフェクト処理を施して画像をスライドショー再生することができる。
【００５５】
また、上記実施形態では、画像ファイルの撮影モード名に関する情報を付加情報として当該画像ファイルに付加するようにしたが、これに限られるものではなく、例えば、撮影モード名に関する情報を各画像ファイルと対応付けて画像記憶部２２等に記憶するようにしても良い。
【００５６】
さらに、上記実施形態における撮影モードテーブル２６ｅやエフェクト特定用テーブル２６ｆに係る撮影モードやエフェクト処理の内容は、一例であってこれらに限定されるものではない。即ち、画像の内容に関連する識別情報に基づいて特定することができ、ユーザにとってより興趣性の高いエフェクト処理であれば、如何なるものであっても良い。
【図面の簡単な説明】
【００５７】
【図１】本発明を適用した好適な一実施形態として例示するデジタルアルバムシステムの全体構成を示すブロック図である。
【図２】図１のデジタルアルバムシステムに備わる画像管理装置の要部構成を示すブロック図である。
【図３】図２の画像管理装置のＥＥＰＲＯＭに記憶されている撮影モードテーブルを模式的に示した図である。
【図４】図２の画像管理装置のＥＥＰＲＯＭに記憶されているエフェクト特定用テーブルを模式的に示した図である。
【図５】図１のデジタルアルバムシステムに備わる表示装置に表示されるエフェクト特定画面を模式的に示した図である。
【図６】図１のデジタルアルバムシステムによる画像読込処理に係る動作の一例を示すフローチャートである。
【図７】図１のデジタルアルバムシステムによる画像再生処理に係る動作の一例を示すフローチャートである。
【符号の説明】
【００５８】
１００    デジタルアルバムシステム（画像表示システム、画像検索システム）
１        デジタルカメラ（撮影装置）
１３      メモリカード（画像記録媒体）
２        画像管理装置
２１      データ読取部
２３      操作入力部（分類項目入力手段）
２６      メモリ（記憶手段）
２６ｅ    撮影モードテーブル
２６ｆ    エフェクト特定用テーブル
２７      ＣＰＵ（画像取得手段、再生手段、エフェクト特定手段、画像分類手段、画像検索手段）
３        表示装置
【図１】
0004692336.tif 000002
【図２】
0004692336.tif 000003
【図３】
0004692336.tif 000004
【図４】
0004692336.tif 000005
【図５】
0004692336.tif 000006
【図６】
0004692336.tif 000007
【図７】
0004692336.tif 000008